(57)【要約】【課題】リモコンへの電源供給停止などで情報端末からの遠隔制御、モニタを禁止する温水利用装置システムを提供する。【解決手段】第１のリモコン１０２への電源手段１２９からの電源供給を停止した場合、停電検出手段１３０はこれを制御手段１２１に伝達し、この情報を基に遠隔制御設定手段１２８はネットワーク１０８を介して携帯電話１０９からの温水利用装置１０１の制御、状態モニタの少なくとも一方を禁止する設定を行う。【選択図】図１
2006078078.tif 000002
【特許請求の範囲】
【請求項１】
温水利用装置とリモコンとから構成される温水利用装置システムであって、前記リモコンは、ネットワークに接続するネット接続手段を介して情報端末からの前記温水利用装置の制御と状態モニタの少なくとも一方を可能とする設定ができる遠隔制御設定手段と、リモコンへの電源供給の停止を検出する停電検出手段とを備え、前記停電検出手段が前記リモコンへの電源供給停止を検出したとき前記遠隔制御設定手段は、前記情報端末からの前記温水利用装置の制御と状態モニタの少なくとも一方を禁止する設定を行う温水利用装置システム。
【請求項２】
温水利用装置とリモコンとから構成される温水利用装置システムであって、前記リモコンは、ネットワークに接続するネット接続手段を介して情報端末からの前記温水利用装置の制御と状態モニタの少なくとも一方を可能とする設定ができる遠隔制御設定手段と、リブートする機能を有するリセット手段とを備え、前記リセット手段を操作したとき前記遠隔制御設定手段は、前記情報端末からの前記温水利用装置の制御と状態モニタの少なくとも一方を禁止する設定を行う温水利用装置システム。
【請求項３】
温水利用装置とリモコンとから構成される温水利用装置システムであって、前記リモコンは、ネットワークに接続するネット接続手段を介して情報端末からの前記温水利用装置の制御と状態モニタの少なくとも一方を可能とする設定ができる遠隔制御設定手段を備え、前記情報端末からの前記温水利用装置の制御と状態モニタの少なくとも一方を禁止する設定情報を受信したとき、前記遠隔制御設定手段は情報端末からの温水利用装置の制御と状態モニタの少なくとも一方を禁止する設定を行う温水利用装置システム。
【請求項４】
温水利用装置とリモコンとから構成される温水利用装置システムであって、前記リモコンは、ネットワークに接続するネット接続手段を介して情報端末からの前記温水利用装置の制御と状態モニタの少なくとも一方を可能とする設定ができる遠隔制御設定手段を備え、前記情報端末からの前記温水利用装置の制御と状態モニタの少なくとも一方を可能とする設定情報を受信したとき、前記遠隔制御設定手段は情報端末からの温水利用装置の制御と状態モニタの少なくとも一方を可能とする設定を行う温水利用装置システム。
【請求項５】
リモコンは表示手段を有し、ネットワークを介しての情報端末からの温水利用装置の制御指令を受信したとき、その制御指令を受け付けたことを表示する請求項１から４のいずれか１項に記載の温水利用装置システム。
【請求項６】
リモコンは表示手段を有し、ネットワークを介しての情報端末からの温水利用装置の制御を行ったとき、それを制御したことを表示する請求項１から５のいずれか１項に記載の温水利用装置システム。
【請求項７】
リモコンは表示手段を有し、ネットワークを介しての情報端末からの温水利用装置の制御と状態モニタの少なくとも一方を禁止するまたは可能とする設定を行ったとき、それを設定したことを表示する請求項１から６のいずれか１項に記載の温水利用装置システム。
【請求項８】
請求項１から７のいずれかに記載の温水利用装置システムが有する機能の少なくとも一部をコンピュータにより実行するためのプログラム。
【発明の詳細な説明】
【技術分野】
【０００１】
本発明はガス給湯器や石油給湯器や電気温水器やヒートポンプ給湯器などの温水を生成し給湯や、床暖房、浴室暖房乾燥機などに利用する温水利用装置システムおよびそのプログラムに関するものである。
【背景技術】
【０００２】
従来、リモコンと温水利用装置を有する温水利用装置システムは一般的な方法として普及している（特許文献１参照）。また、リモコンにインターネットとの接続機能を持たせ、インターネットを介して携帯電話などの情報端末から温水利用装置を制御、状態モニタする機能を有する温水利用装置システムが考案されている。
【０００３】
従来例の温水利用装置システムの構成を図３、図４に示す。
【０００４】
図３において、１は従来例の温水利用装置、２は第１のリモコンでここでは主に台所に設置されるリモコンであるとする。３は第２のリモコンでここでは主に浴室に設置されるリモコンであるとする。４と１０ははそれぞれ第１のリモコン２と第２のリモコン３の表示手段で、５と１１はそれぞれ第１のリモコン２と第２のリモコン３の出湯温水の設定温度を上げるための温度アップスイッチ、６と１２は出湯温水の設定温度を下げるための温度ダウンスイッチ、７と１３は温水利用装置１の切／入スイッチを示す。
【０００５】
図４において、２は第１のリモコン、３は第２のリモコンである。２１と４１はそれぞれ第１のリモコン２と第２のリモコン３の制御手段、４と１０は表示手段、５と１１は温度アップスイッチ、６と１２は温度ダウンスイッチ、７と１３は温水利用装置１の切／入スイッチ、２６と４６は第１のリモコン２と第２のリモコン３と温水利用装置１間の通信を行う通信手段を示す。２７はインターネットなどのネットワークと接続する機能を有するネット接続手段、２９は第１のリモコンリモコン２の電源手段を示す。８はインターネットなどのネットワークで９はネットワーク８を介して温水利用装置１を制御、状態モニタできる情報端末であり、ここでは携帯電話であるとする。
【０００６】
次に図３と図４を用いて従来例の動作を説明する。温水利用装置１が生成する温水の温度は第１のリモコン２と第２のリモコン３で設定できる。具体的には温度アップスイッチ５、１１と温度ダウンスイッチ６、１２を操作することで実現できる。設定された温度は表示手段４と１０に表示される。
【０００７】
また切／入スイッチ７、１３の操作で温水利用装置１を切／入できる。温水利用装置１で生成された温水はふろ湯はり、シャワー、台所での給湯の他、床暖房、浴室暖房乾燥機などの暖房の熱源として使用される。
【０００８】
第１のリモコン２と第２のリモコン３と温水利用装置１間のやりとりは、通信手段２６、３６と図示していないが温水利用装置１の通信手段の間の通信で実現している。インターネットなどのネットワーク８との接続はネット接続手段２７で行い、携帯電話などの情報端末９からの制御でネットワーク８と第１のリモコン２を介して温水利用システムを制御、状態モニタすることができる。
【特許文献１】特開２００４−２１９０００号公報
【発明の開示】
【発明が解決しようとする課題】
【０００９】
しかしながら、前記図３、図４に示す従来例の構成では、例えば転宅などで温水利用装置システムの使用者が代わった場合でも、新たな使用者がアクセス番号などの設定を変更するまでのあいだに以前の使用者が携帯電話などから温水利用装置を制御、状態モニタすることができる可能性があるという課題があった。
【課題を解決するための手段】
【００１０】
前記従来の課題を解決するために、本発明の温水利用装置システムは、温水利用装置とリモコンとから構成される温水利用装置システムであって、前記リモコンは、ネットワークに接続するネット接続手段を介して情報端末からの前記温水利用装置の制御と状態モニタの少なくとも一方を可能とする設定ができる遠隔制御設定手段と、リモコンへの電源供給の停止を検出する停電検出手段とを備え、前記停電検出手段が前記リモコンへの電源供給停止を検出したとき前記遠隔制御設定手段は、前記情報端末からの前記温水利用装置の制御と状態モニタの少なくとも一方を禁止する設定を行う温水利用装置システムとしたものである。したがって電源遮断を行った以後は温水利用装置の制御、状態モニタをできなくする。
【００１１】
また、前記リモコンはリブートする機能を有するリセット手段を有し、前記リセット手段を操作したとき前記遠隔制御設定手段は、前記ネットワークを介しての情報端末からの前記温水利用装置の制御と状態モニタの少なくとも一方を禁止する設定を行う温水利用装置システムとしたものである。したがってリセットを行った以後は温水利用装置の制御、状態モニタをできなくする。
【００１２】
また、前記ネットワークを介して情報端末からの前記温水利用装置の制御と状態モニタの少なくとも一方を禁止する設定情報を受信したとき、前記遠隔制御設定手段は、ネットワークを介しての情報端末からの温水利用装置の制御と状態モニタの少なくとも一方を禁止する設定を行う温水利用装置システムとしたものである。したがって禁止の設定情報を受信した以後は温水利用装置の制御、状態モニタをできなくする。
【発明の効果】
【００１３】
本発明の温水利用装置システムおよびそのプログラムは、リモコンへの電源供給停止を検出した時、リセットスイッチを操作したとき、あるいはネットワークを介して禁止指令が来たときに、制御、状態モニタの少なくとも一方を禁止する構成としており、例えば温水利用装置システムの使用者が代わった場合でも、以前の使用者が携帯電話などから温水利用装置を制御、状態モニタすることができないため極めて有効である。
【発明を実施するための最良の形態】
【００１４】
第１の発明は、温水利用装置とリモコンとから構成される温水利用装置システムであって、前記リモコンは、ネットワークに接続するネット接続手段を介して情報端末からの前記温水利用装置の制御と状態モニタの少なくとも一方を可能とする設定ができる遠隔制御設定手段と、リモコンへの電源供給の停止を検出する停電検出手段とを備え、前記停電検出手段が前記リモコンへの電源供給停止を検出したとき前記遠隔制御設定手段は、前記情報端末からの前記温水利用装置の制御と状態モニタの少なくとも一方を禁止する設定を行う、セキュリティ性の高い温水利用装置システムを実現することができる。
【００１５】
これにより、リモコンへの電源供給が停止したとき、ネットワークを介しての情報端末からの前記温水利用装置の制御と状態モニタの少なくとも一方を禁止することができる温水利用装置システムを実現できる。
【００１６】
第２の発明は、温水利用装置とリモコンとから構成される温水利用装置システムであって、前記リモコンは、ネットワークに接続するネット接続手段を介して情報端末からの前記温水利用装置の制御と状態モニタの少なくとも一方を可能とする設定ができる遠隔制御設定手段と、リブートする機能を有するリセット手段とを備え、前記リセット手段を操作したとき前記遠隔制御設定手段は、前記情報端末からの前記温水利用装置の制御と状態モニタの少なくとも一方を禁止する設定を行う、セキュリティ性の高い温水利用装置システムを実現することができる。
【００１７】
これにより、リセット手段を操作したとき前記遠隔制御設定手段は、前記ネットワークを介しての情報端末からの前記温水利用装置の制御と状態モニタの少なくとも一方を禁止することができる温水利用装置システムを実現できる。
【００１８】
第３の発明は、温水利用装置とリモコンとから構成される温水利用装置システムであって、前記リモコンは、ネットワークに接続するネット接続手段を介して情報端末からの前記温水利用装置の制御と状態モニタの少なくとも一方を可能とする設定ができる遠隔制御設定手を備え、前記情報端末からの前記温水利用装置の制御と状態モニタの少なくとも一方を禁止する設定情報を受信したとき、前記遠隔制御設定手段は情報端末からの温水利用装置の制御と状態モニタの少なくとも一方を禁止する設定を行う、セキュリティ性の高い温水利用装置システムを実現することができる。
【００１９】
これにより、ネットワークを介して情報端末からの前記温水利用装置の制御と状態モニタの少なくとも一方を禁止する設定情報を受信したとき、前記遠隔制御設定手段は、ネットワークを介しての情報端末からの温水利用装置の制御と状態モニタの少なくとも一方を禁止することができる温水利用装置システムを実現できる。
【００２０】
第４の発明は、温水利用装置とリモコンとから構成される温水利用装置システムであって、前記リモコンは、ネットワークに接続するネット接続手段を介して情報端末からの前記温水利用装置の制御と状態モニタの少なくとも一方を可能とする設定ができる遠隔制御設定手段を備え、前記情報端末からの前記温水利用装置の制御と状態モニタの少なくとも一方を可能とする設定情報を受信したとき、前記遠隔制御設定手段は情報端末からの温水利用装置の制御と状態モニタの少なくとも一方を可能とする設定を行う、セキュリティ性の高い温水利用装置システムを実現することができる。
【００２１】
これにより、制御、状態モニタが禁止状態にある場合でもネットワークを介して情報端末からの前記温水利用装置の制御と状態モニタの少なくとも一方を可能とする設定情報を受信したとき、前記遠隔制御設定手段は、ネットワークを介しての情報端末からの温水利用装置の制御と状態モニタの少なくとも一方を可能とすることができる温水利用装置システムを実現できる。
【００２２】
第５の発明は、リモコンは表示手段を有し、ネットワークを介しての情報端末からの温水利用装置の制御指令を受信したとき、制御指令を受け付けたことを表示する温水利用装置システムを実現することができる。これにより、ネットワークを介して制御したことを使用者に伝えることができる温水利用装置システムを実現できる。
【００２３】
第６の発明は、リモコンは表示手段を有し、ネットワークを介しての情報端末からの温水利用装置の制御を行ったとき、制御したことを表示する温水利用装置システムを実現することができる。これにより、ネットワークを介して制御したことを使用者に伝えることができる温水利用装置システムを実現できる。
【００２４】
第７の発明は、リモコンは表示手段を有し、ネットワークを介しての情報端末からの温水利用装置の制御と状態モニタの少なくとも一方を禁止するまたは可能とする設定を行ったとき、設定したことを表示する温水利用装置システムを実現することができる。これにより、禁止したことを使用者に伝えることができる温水利用装置システムを実現できる。
【００２５】
第８の発明は、温水利用装置システムが有する機能の少なくとも一部をコンピュータにより実行するためのプログラムとしている。そして、プログラムであるので、電気・情報機器、コンピュータ、サーバー等のハードリソースを協働させて本発明の温水利用装置システムの少なくとも一部を容易に実現することができる。また記録媒体に記録したり通信回線を用いてプログラムを配信したりすることでプログラムの配布・更新やそのインストール作業が簡単にできる。
【００２６】
以下、本発明の実施の形態について、図面を参照しながら説明する。なお、この実施の形態によって本発明が限定されるものではない。
【００２７】
（実施の形態１）
図１、図２は本発明の実施の形態１における温水利用装置システムの構成を示すブロック図を示すものである。
【００２８】
図１において１０１は本実施例の温水利用装置で、ここではお風呂への湯はり、台所での出湯ができるガス給湯器であるとするが、ここで生成した温水を熱源として床暖房や浴室暖房乾燥機などに使用する温水利用装置としても良い。１０２は第１のリモコンでここでは台所に設置されるリモコンであるとする。１０３は第２のリモコンでここでは浴室に設置されるリモコンであるとする。１０４と１１０はそれぞれ第１のリモコン１０２と第２リモコン１０３の表示手段で、１０５と１１１はそれぞれ第１のリモコン１０２と第２のリモコン１０３の出湯温水の設定温度を上げるための温度アップスイッチ、１０６と１１２は出湯温水の設定温度を下げるための温度ダウンスイッチ、１０７と１１３は温水利用装置１の切／入スイッチを示す。１０８はインターネットなどのネットワークで１０９はネットワーク１０８を介して温水利用装置１０１を制御、状態モニタできる情報端末であり、ここでは携帯電話であるとする。
【００２９】
図２において、１２１と１４１はそれぞれ第１のリモコン１０２と第２のリモコン１０３の制御手段、１０４と１１０は表示手段、１０５と１１１は温度アップスイッチ、１０６と１１２は温度ダウンスイッチ、１０７と１１３は温水利用装置の切／入スイッチ、１２６と１４６は第１のリモコン１０２と第２のリモコン１０３と温水利用装置１間の通信を行う通信手段を示す。１２７はインターネットなどのネットワークと接続する機能を有するネット接続手段、１２９は第１のリモコンリモコン１２０の電源手段で、１３０は電源手段１２９が電源を供給しているか否かを検出する停電検出手段で、１２８はネットワーク１０８を介して情報端末１０９からの制御、状態モニタの少なくとも一方を受け付けるか否かを設定する遠隔制御設定手段で、１３１は第１のリモコン１２０をリブートできるリセット手段を示す。
【００３０】
次に図１と図２を用いて本実施の形態の動作を説明する。
【００３１】
温水利用装置１０１が生成する温水の温度は第１のリモコン１０２と第２のリモコン１０３で設定できる。具体的には温度アップスイッチ１０５、１１１と温度ダウンスイッチ１０６、１１２を操作することで実現できる。設定された温度は表示手段１０４と１１０に表示する。また切／入スイッチ１０７、１１３の操作で温水利用装置１０１を切／入できる。温水利用装置１０１で生成された温水はふろ湯はり、シャワー、台所での給湯の他、床暖房、浴室暖房乾燥機などの暖房の熱源として使用される。
【００３２】
第１のリモコン１０２と第２のリモコン１０３と温水利用装置１０１間のやりとりは、通信手段１２６、１３６と図示していないが温水利用装置１０１の通信手段の間の通信で実現している。インターネットなどのネットワーク１０８との接続はネット接続手段１２７で行い、携帯電話などの情報端末１０９からの制御でネットワーク１０８と第１のリモコン１０２を介して温水利用システムを制御、状態モニタすることができる。
【００３３】
例えば転居などで使用者が替わるとき、第１のリモコン１０２への電源手段１２９からの電源供給を停止した場合、停電検出手段１３０はこれを制御手段１２１に伝達し、この情報を基に遠隔制御設定手段１２８はネットワーク１０８を介して携帯電話１０９からの温水利用装置１０１の制御、状態モニタの少なくとも一方を禁止する設定を行う。
【００３４】
なお、使用者は遠隔制御設定手段１２８を操作することにより、遠隔制御、状態モニタを可に設定することができる。
【００３５】
また、電源手段１２９は直接ＡＣ１００Ｖ等から供給された電源を基にしている場合や、温水利用装置１０１等からの供給によるものや、電池などから供給するものなど各種想定できる。なお、一時的な停電と区別するために一定時間（例えば１０分）以上停電したら携帯電話１０９からの温水利用装置１０１の制御、状態モニタの少なくとも一方を禁止する設定を行うようにしてもよい。
【００３６】
また、リセット手段１３１を操作することによっても遠隔制御設定手段１２８はネットワーク１０８を介して携帯電話１０９からの温水利用装置１０１の制御、状態モニタの少なくとも一方を禁止する設定を行う。
【００３７】
また、ネットワークを介して遠隔制御、モニタの少なくとも一方を禁止する指令を受け取った場合も遠隔制御設定手段１２８はネットワーク１０８を介して携帯電話１０９からの温水利用装置１０１の制御、状態モニタの少なくとも一方を禁止する設定を行う。
【００３８】
また、遠隔制御設定手段で禁止している場合は、ネットワークを介して遠隔制御、モニタの少なくとも一方を可とする指令を受け取った場合は遠隔制御設定手段１２８はネットワーク１０８を介して携帯電話１０９からの温水利用装置１０１の制御、状態モニタの少なくとも一方を可とする設定を行う。
【００３９】
また、ネットワークを介して遠隔制御、モニタの少なくとも一方の指令を受け取った場合は、表示手段１２２は制御指令を受け付けたことを表示する。
【００４０】
また、ネットワークを介して遠隔制御を行った場合は、表示手段１２２は制御を行ったことを表示する。
【００４１】
また、ネットワークを介して遠隔制御、モニタの少なくとも一方を禁止する、または可能とする指令を受け取り、遠隔制御設定手段で禁止設定、または可能とする設定を行ったった場合は、その旨を表示する。
【００４２】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４３】
本発明はガス給湯器や石油給湯器や電気温水器やヒートポンプ給湯器などの温水を生成し給湯や、床暖房、浴室暖房乾燥機などに利用する温水利用装置システムのほかにも一般的な機器の遠隔操作にも利用できる。
【図面の簡単な説明】
【００４４】
【図１】本発明の実施の形態１に示す温水利用装置システムの構成を示すブロック図
【図２】本発明の実施の形態１に示すリモコンの構成を示すブロック図
【図３】従来例の温水利用装置システムの構成を示すブロック図
【図４】従来例のリモコンの構成を示すブロック図
【符号の説明】
【００４５】
１０１  温水利用装置
１０２  第１のリモコン
１０３  第２のリモコン
１０４、１１０  表示手段
１０５、１１１  温度アップスイッチ
１０６、１１２  温度ダウンスイッチ
１０７、１１３  切／入スイッチ
１０８  ネットワーク
１０９  情報端末（携帯電話）
１２１、１４１  制御手段
１２７  ネット接続手段
１２８  遠隔制御設定手段
１２９  電源手段
１３０  停電検出手段
１３１  リセット手段
【図１】
2006078078.tif 000003
【図２】
2006078078.tif 000004
【図３】
2006078078.tif 000005
【図４】
2006078078.tif 000006